(57)【要約】【課題】  貧血が疑われる場合の客観的指標として好適な貧血チェッカーを提供することを目的とする。【解決手段】  本発明は、眼瞼結膜の色と比較することによって貧血の疑いを判断するための貧血チェッカー１０であって、ＨＳＶ色空間におけるＳ値（彩度）が互いに異なる複数の赤色（赤色５、赤色１０、赤色２０、赤色３０、赤色４０、赤色５０）が、長手方向に並んだ状態で表示されていることを特徴とする。また、基準となる赤色が、ＨＳＶ値（Ｈ値：０〜３６０°、Ｓ値：０〜１００％、Ｖ値：０〜１００％）でＨ値＝３６０、Ｓ値＝１００、Ｖ値＝１００であることを特徴とする。【選択図】  図１
2016013282.tif 000002
【特許請求の範囲】
【請求項１】
眼瞼結膜の色と比較することによって貧血の疑いを判断するための貧血チェッカーであって、
ＨＳＶ色空間におけるＳ値（彩度）が互いに異なる複数の赤色が、長手方向に並んだ状態で表示されていることを特徴とする貧血チェッカー。
【請求項２】
前記赤色がＨＳＶ値（Ｈ値：０〜３６０°、Ｓ値：０〜１００％、Ｖ値：０〜１００％）でＨ値＝３６０、Ｓ値＝１００、Ｖ値＝１００であることを特徴とする請求項１に記載の貧血チェッカー。
【請求項３】
隣接する前記複数の赤色のＳ値が少なくとも３％以上異なることを特徴とする請求項１または請求項２に記載の貧血チェッカー。
【発明の詳細な説明】
【技術分野】
【０００１】
本発明は、貧血の疑いを客観的に判断するのに好適な貧血チェッカーに関する。
【背景技術】
【０００２】
血液中の赤血球が様々な理由によって不足している状態が「貧血」である。貧血は、小球性低色素性貧血、正球性正色素性貧血、大球性正色素性貧血の３種類に大別され、例えば、貧血の中でも最も多い鉄欠乏症貧血は鉄分の不足によって引き起こされるが、この鉄欠乏症貧血は小球性低色素性貧血に分類される。
【０００３】
また、赤血球中の大部分を占めているのがヘモグロビンであり、ヘモグロビンが不足すると体内の各組織への酸素の運搬が十分に行われないため、貧血状態になる。貧血状態になると、体内の各組織が酸素不足に陥るため、酸素を補うために心臓が激しく拍動して多量の血液を送り出そうとして動悸が現れたり、呼吸運動が盛んになって息切れしたりする。
【０００４】
貧血の症状はヘモグロビンの濃度によって異なるが、軽い貧血では自覚症状も殆どなく、貧血であることに気付き難い。そこで、まずは医師等により眼瞼結膜の色が確認され、眼瞼結膜の色が白っぽくて貧血の疑いありと判断された場合には、採血による血液検査によって貧血であるか否かの診断が行われるのが一般的である（非特許文献１及び非特許文献２参照）。
【０００５】
そして、血液検査において血液中の赤血球数、ヘモグロビン量、ヘマトクリットを調べることによって、貧血の診断が行われる。例えば、赤血球数が基準値以下であれば貧血と診断され、同様に、ヘモグロビン量やヘマトクリットがそれぞれの基準値以下であれば貧血と診断される。
【０００６】
特に、ヘモグロビンは酸素と二酸化炭素の受け渡しを行う重要な働きを担っており、ヘモグロビン量が、例えば成人男性であれば１３ｇ／ｄＬ以下、成人女性であれば１２ｇ／ｄＬ以下（何れもＷＨＯ基準）のときに貧血と診断され、より詳細な検査を受ける必要がある。貧血の正確な判定には、赤血球数、ヘモグロビン量、ヘマトクリットの値を一定の公式に当てはめて算出する赤血球恒数が用いられ、例えば、平均赤血球容積（ＭＣＶ）及び平均赤血球色素濃度（ＭＣＨＣ）が基準値以下であれば、鉄欠乏症貧血などの小球性低色素性貧血と診断される。
【先行技術文献】
【特許文献】
【０００７】
【非特許文献１】「眼瞼結膜（身体所見）と貧血」（http://rockymuku.sakura.ne.jp/ketuekinaika/gannkennketumakutohinnketu.pdf）
【非特許文献２】「貧血ｃｕｒｅ」ホームページ（http://hink2cure.jp/）
【発明の概要】
【発明が解決しようとする課題】
【０００８】
貧血であるか否かの最終診断は、採血による血液検査が不可欠である。しかしながら、自覚症状が殆どない患者にとっては、貧血の疑いがあるとの医師の判断のみによって採血に応じることに抵抗がある者も少なくない。
【０００９】
また、眼瞼結膜の色を確認することによって貧血の疑いの有無を判断する場合がある。しかしながら、眼瞼結膜の色から貧血の疑いの有無を判断するにあたっての指標は特になく、もっぱら医師の主観や経験に委ねられていたため、患者に対して貧血が疑われることを説明する際に好適な指標、或いは経験の少ない医師が判断する際に好適な指標が求められていた。
【００１０】
そこで本願発明者は、上記の問題点に鑑み、貧血が疑われる場合の客観的指標として好適な貧血チェッカーを提供するべく鋭意検討を重ねた結果、本発明に至ったのである。
【課題を解決するための手段】
【００１１】
即ち、本発明は、眼瞼結膜の色と比較することによって貧血の疑いを判断するための貧血チェッカーであって、ＨＳＶ色空間におけるＳ値（彩度）が互いに異なる複数の赤色が、長手方向に並んだ状態で表示されていることを特徴とする。
【００１２】
また、本発明の貧血チェッカーにおいて、前記赤色がＨＳＶ値（Ｈ値：０〜３６０°、Ｓ値：０〜１００％、Ｖ値：０〜１００％）でＨ値＝３６０、Ｓ値＝１００、Ｖ値＝１００であることを特徴とする。
【００１３】
更に、本発明の貧血チェッカーにおいて、隣接する前記複数の赤色のＳ値が少なくとも３％以上異なることを特徴とする。
【発明の効果】
【００１４】
本発明の貧血チェッカーによると、貧血が疑われる場合の客観的指標として利用することができる。特に、眼瞼結膜の色を本発明の貧血チェッカーと比較することによって視覚的に把握することができるため、患者に対して貧血が疑われることを説明する際や経験の少ない医師が貧血であるか否かを判断する際、説明や判断を補完する指標として非常に有用である。
【００１５】
特に、眼瞼結膜の色を本発明の貧血チェッカーと比較することによって視覚的に把握することができるため、患者に対して貧血が疑われることを説明する際や経験の少ない医師が判断する際、説明や判断を補完する指標として非常に有用である。
【００１６】
また、本発明の貧血チェッカーによる測定値を継続的に記録しておくことによって、貧血に対する治療効果等を容易に把握することも可能であり、日常の体調管理等にも非常に有用である。
【図面の簡単な説明】
【００１７】
【図１】本発明の一実施形態に係る貧血チェッカーの説明図である。
【図２】本発明の一実施形態に係る貧血チェッカーによる評価とヘモグロビン量の測定値との関係を示す散布図である。
【発明を実施するための形態】
【００１８】
以下、本発明の一実施形態について、図面に基づいて説明する。図１は、本発明の一実施形態に係る貧血チェッカー１０を示す平面図である。本実施形態に係る貧血チェッカー１０は、基材１１の表面に複数の彩色領域１２，１４，１６，１８，２０，２２が長手方向に並んだ状態で配設されており、各彩色領域１２，１４，１６，１８，２０，２２は、ＨＳＶ色空間におけるＳ値（彩度）が互いに異なる複数の赤色によって彩色されている。
【００１９】
基材１１は、複数の彩色領域１２，１４，１６，１８，２０，２２に彩色される複数の赤色が表現可能であれば、その素材自体は特に限定されず、樹脂製や紙製など何れであってもよい。なお、紙製の場合であれば、ＩＳＯ白色度が９０％以上の普通紙や印画紙などが好適である。また、これらをラミネート加工することによって、耐久性や取扱性の向上が図られる。
【００２０】
本実施形態の貧血チェッカー１０に係る複数の彩色領域１２，１４，１６，１８，２０，２２は、互いに異なる赤色によって彩色されている。ここで、まず基準となる赤色であるが、本発明において基準となる赤色は、ＨＳＶ色空間（Ｈ値：０〜３６０°、Ｓ値：０〜１００％、Ｖ値：０〜１００％）において、Ｈ値＝３６０°、Ｓ値＝１００％、Ｖ値＝１００％（以下、「Ｈ：Ｓ：Ｖ＝３６０：１００：１００」と表記する。以下同様。）で定義される赤色である。なお、当該赤色を他の色空間などで定義する場合、例えばＲＧＢ値であれば、Ｒ値＝２５５、Ｇ値＝０、Ｂ値＝０であり、カラーコードは♯ｆｆ００００である。
【００２１】
本実施形態の貧血チェッカー１０に係る複数の彩色領域１２，１４，１６，１８，２０，２２は、ＨＳＶ色空間においてＨ：Ｓ：Ｖ＝３６０：１００：１００で定義される赤色を基準として互いに異なる赤色で彩色されている。本発明では、ＨＳＶ色空間におけるＨ値（色相）及びＶ値（明度）を一定に保った状態でＳ値（彩度）を互いに異ならせることによって、複数の彩色領域１２，１４，１６，１８，２０，２２が互いに異なる赤色で彩色されている。
【００２２】
本実施形態の貧血チェッカー１０は、図１に示すように、基材１１の表面に左側から順に彩色領域１２，１４，１６，１８，２０，２２が配設されている。そして、まず一番左の彩色領域１２は、Ｈ：Ｓ：Ｖ＝３６０：５：１００で定義される赤色５（他の複数の赤色と区別するため、赤色の後にＳ値を表記する。以下同様。）によって彩色され、彩色領域１２の下にＳ値の「５」が表記されている。
【００２３】
次に、彩色領域１２に隣接する彩色領域１４は、Ｈ：Ｓ：Ｖ＝３６０：１０：１００で定義される赤色１０によって彩色され、彩色領域１４の下にＳ値の「１０」が表記されている。以下同様に、彩色領域１６は、Ｈ：Ｓ：Ｖ＝３６０：２０：１００で定義される赤色２０によって彩色され、彩色領域１６の下にＳ値の「２０」が表記され、彩色領域１８は、Ｈ：Ｓ：Ｖ＝３６０：３０：１００で定義される赤色３０によって彩色され、彩色領域１８の下にＳ値の「３０」が表記され、彩色領域２０は、Ｈ：Ｓ：Ｖ＝３６０：４０：１００で定義される赤色４０によって彩色され、彩色領域２０の下にＳ値の「４０」が表記され、彩色領域２２は、Ｈ：Ｓ：Ｖ＝３６０：５０：１００で定義される赤色５０によって彩色され、彩色領域２２の下にＳ値の「５０」が表記されている。
【００２４】
そして、本実施形態に係る貧血チェッカー１０を眼の下にあてがい、下瞼の裏側の色、即ち下眼瞼結膜の色と貧血チェッカー１０に係る複数の赤色（彩色領域１２に係る赤色５、彩色領域１４に係る赤色１０など）とを比較することによって、下眼瞼結膜の色が貧血チェッカー１０における何れの彩色領域１２，１４，１６，１８，２０，２２に係る赤色であるかを特定する。
【００２５】
次に、図２は本実施形態に係る貧血チェッカー１０による評価と、血液検査から得られたヘモグロビン量の測定値との関係を示した散布図である。７０人の被験者に対して、まず本実施形態に係る貧血チェッカー１０を使用して下眼瞼結膜の色を特定した上で、血液検査によるヘモグロビン量の測定値との関係を調べた。その結果、本実施形態の貧血チェッカー１０に係る彩色領域２２の赤色５０（Ｓ値（彩度）＝５０％）と判断された被験者の殆どが、ヘモグロビン量１３ｇ／ｄＬを超えており、成人男性が貧血と診断される基準値を超えていたことがわかった。
【００２６】
また、本実施形態の貧血チェッカー１０に係る彩色領域２０の赤色４０（Ｓ値（彩度）＝４０％）と判断された被験者では、ヘモグロビン量１３ｇ／ｄＬを超える者が約半数となり、残りの約半数の者はヘモグロビン量１３ｇ／ｄＬを下回る結果となった。
【００２７】
なお、本実施形態に係る貧血チェッカー１０を使用して下眼瞼結膜の色を特定する際、彩色領域２２の赤色５０でもなく彩色領域２０の赤色４０でもないが、下眼瞼結膜の色がこの間に位置すると判断された場合を便宜上赤色４５とし、これとヘモグロビン量の測定値との関係を図２に示した。赤色３５（Ｓ値（彩度）＝３５％）、赤色２５（Ｓ値（彩度）＝２０％）、赤色１５（Ｓ値（彩度）＝１５％）も同様である。
【００２８】
更に、本実施形態の貧血チェッカー１０に係る彩色領域１８の赤色３０（Ｓ値（彩度）＝３０％）と判断された被験者では、ヘモグロビン量１３ｇ／ｄＬを下回る者が殆どとなり、彩色領域１６の赤色２０（Ｓ値（彩度）＝２０％）と判断された被験者では、ヘモグロビン量が１３ｇ／ｄＬを超える者はいなかった。
【００２９】
以上の結果より、成人男性においては本実施形態の貧血チェッカー１０によって下眼瞼結膜の色が彩色領域２０の赤色４０（Ｓ値（彩度）＝４０％）と判断された場合、成人女性や高齢者においては貧血チェッカー１０によって下眼瞼結膜の色が彩色領域１８の赤色３０（Ｓ値（彩度）＝３０％）と判断された場合に貧血の疑いが高まるため、採血による血液検査を勧めるための客観的な指標として有効に活用できるものと思料する。
【００３０】
そして、下眼瞼結膜の色が、成人男性においては本実施形態の貧血チェッカー１０に係る彩色領域１８の赤色３０（Ｓ値（彩度）＝３０％）以下、成人女性や高齢者においては彩色領域１６の赤色２０（Ｓ値（彩度）＝２０％）以下と判断された場合、貧血の疑いが非常に高いため、血液検査を強く勧めることができるものと思料する。
【００３１】
以上の通り、本発明の実施形態に係る貧血チェッカー１０によると、貧血チェッカー１０に係る彩色領域１２，１４，１６，１８，２０，２２に彩色された各赤色と、下眼瞼結膜の色とを比較することによって、貧血の疑いの有無を客観的且つ視覚的に把握することができる。従って、患者に対して貧血が疑われることを説明する際や経験の少ない医師が貧血であるか否かを判断する際、説明や判断を補完する指標として非常に有用である。
【００３２】
また、本実施形態に係る貧血チェッカー１０は、個人的にも簡単に使用することができるため、貧血チェッカー１０による測定値を継続的に記録しておくことによって、貧血に対する治療効果等を容易に把握することも可能であり、日常の体調管理等にも非常に有用である。
【００３３】
以上、本発明の貧血チェッカーの実施形態について詳述したが、本発明の技術的思想を実質的に限定するものと解してはならない。例えば、本発明の実施形態に係る貧血チェッカー１０では、隣接する複数の赤色のＳ値を５％または１０％異ならせているが、少なくとも３％以上異ならせることが好ましい。本発明の貧血チェッカーは、あくまで貧血の疑いを客観的に把握するために利用される指標であって、貧血であるか否かを診断するために使用されるものではない。その一方で、使用者が簡単に眼瞼結膜の色を把握するのに好適な指標とするべく、隣接するＳ値の違いが余りに小さいと、彩色領域の数が闇雲に増大し、眼瞼結膜の色がどの彩色領域の赤色と近いかを特定し難くなる。そこで、彩色領域の選択を簡便にするためにも、Ｓ値は少なくとも３％以上異ならせることが好ましい。
【００３４】
また、本発明の貧血チェッカーに係る複数の赤色は、ＨＳＶ色空間におけるＳ値を異ならせることによって決定しているが、複数の赤色の特定方法はこれに限定されず、例えばＲＧＢによる特定も可能である。即ち、基準となる赤色のＲＧＢ値をＲ：Ｇ：Ｂ＝２５５：０：０とし、Ｒ値を一定に保った状態で、互いに隣接する彩色領域のＧ値及びＢ値を、少なくとも７以上、好ましくは８以上ずつ共に異ならせることによって、互いに異なる赤色で彩色された彩色領域を複数備える貧血チェッカーを得ることができる。なお、本発明の実施形態に係る貧血チェッカー１０において、彩色領域１２，１４，１６，１８，２０，２２に係る赤色５、赤色１０、赤色２０、赤色３０、赤色４０、及び赤色５０をそれぞれＲＧＢ値で特定した場合、赤色５はＲ：Ｇ：Ｂ＝２５５：２４２：２４２、赤色１０はＲ：Ｇ：Ｂ＝２５５：２２９：２２９、赤色２０はＲ：Ｇ：Ｂ＝２５５：２０４：２０４、赤色３０はＲ：Ｇ：Ｂ＝２５５：１７８：１７８、赤色４０はＲ：Ｇ：Ｂ＝２５５：１５３：１５３、赤色５０はＲ：Ｇ：Ｂ＝２５５：１２７：１２７となる。
本発明はその要旨を逸脱しない範囲で、当業者の創意と工夫により、適宜に改良、変更又は追加をしながら実施できる。
【符号の説明】
【００３５】
１０：貧血チェッカー
１１：基材
１２，１４，１６，１８，２０，２２：彩色領域
【図１】
2016013282.tif 000003
【図２】
2016013282.tif 000004